(57)【要約】【課題】  ホットライン機能を損なうことなく室外熱交換器低部の着霜・着氷を抑えるとともに、暖房能力を維持することができる冷凍システム装置及びその運転方法を提供すること。【解決手段】  室内側膨張弁６と室外側膨張弁７との間を配管接続する冷媒配管１３は、途中で室外熱交換器８の一部を経由するホットライン配管（第一配管）１３Ａと、経由しないバイパス配管（第二配管）１３Ｂとに分岐して形成されている。この冷媒配管１３は、予め所定の冷媒循環量を所定の割合で双方に分岐できるように構成されている。【選択図】  図１
2006038447.tif 000002
【特許請求の範囲】
【請求項１】
少なくとも室内熱交換器、室内側膨張部、室外側膨張部、室外熱交換器、及び、圧縮機を順次配管接続して冷媒を循環させてなる冷凍サイクルを有する冷凍サイクル装置であって、
前記室内側膨張部と前記室外側膨張部との間を配管接続する冷媒配管が、前記室外熱交換器の少なくとも一部を経由する第一配管と経由しない第二配管とに分岐されていることを特徴とする冷凍サイクル装置。
【請求項２】
前記第一配管の温度を検出する第一温度検出部と、
室外空気温度を検出する第二温度検出部とを備え、
前記第一配管に、前記室外空気温度と前記第一配管の温度とに基づき流量制御可能な流量調整手段が配されていることを特徴とする請求項１に記載の冷凍サイクル装置。
【請求項３】
前記室外側膨張部から前記室外熱交換器へ冷媒を流通させる際に、前記室外空気温度と前記第一配管の温度とに基づき少なくとも一部の前記冷媒を前記第一配管へ分流させる流通機構を備えていることを特徴とする請求項２に記載の冷凍サイクル装置。
【請求項４】
少なくとも室内側膨張部、室外側膨張部、室外熱交換器、及び、圧縮機を順次配管接続して冷媒を循環させてなる冷凍サイクルを有する冷凍サイクル装置の運転方法であって、
室外空気温度を検出する工程と、
前記室外熱交換器の少なくとも一部を経由して配された第一配管と経由しない第二配管とに途中で分岐されて前記室内側膨張部と前記室外側膨張部とを配管接続する冷媒配管の前記第一配管の温度を検出する工程と、
室外空気温度と前記第一配管の温度とに基づき前記第一配管内の冷媒流量を調整する工程とを備えていることを特徴とする冷凍サイクル装置の運転方法。
【請求項５】
前記第一配管内の冷媒の流通方向を前記室外熱交換器内の流通方向と同一方向とする工程を備えていることを特徴とする請求項４に記載の冷凍サイクル装置の運転方法。
【請求項６】
前記室外熱交換器に前記第一配管よりも多くの冷媒量を流通させる熱交換部が配され、
前記第一配管及び前記熱交換部の少なくとも一方に、前記圧縮機の吐出側から前記室外熱交換器側に向かって一方向に前記冷媒を流通させる配管選択機構を備えていることを特徴とする請求項１に記載の冷凍サイクル装置。
【請求項７】
少なくとも室内熱交換器、室内側膨張部、室外側膨張部、室外熱交換器、及び、圧縮機を順次配管接続して冷媒を循環させてなる冷凍サイクルを有する冷凍サイクル装置の運転方法であって、
室外空気温度を検出する工程と、
室外空気温度の検出結果に基づき、前記室外熱交換器の少なくとも一部を経由して配された第一配管及び該第一配管よりも多くの冷媒を流通可能に前記室外熱交換器に配された熱交換部の少なくとも一方に、前記圧縮機の吐出側から前記室外熱交換器側に向かって一方向に前記冷媒を流通させる工程とを備えていることを特徴とする冷凍サイクル装置の運転方法。
【請求項８】
前記圧縮機の吐出圧力を検出する工程をさらに備え、
前記一方向に前記冷媒を流通させる工程が、前記圧縮機の吐出圧力の検出結果と合わせて前記冷媒を流通させることを特徴とする請求項７に記載の冷凍サイクル装置の運転方法。
【発明の詳細な説明】
【技術分野】
【０００１】
本発明は、冷凍サイクル装置及びその運転方法に関する。
【背景技術】
【０００２】
室外熱交換器、室内熱交換器、圧縮機等を配管接続した冷凍サイクルを有する冷凍サイクル装置の代表的なものとして、四方弁等によって冷媒の流れる方向を切り替えることによって、室外熱交換器を凝縮器、室内熱交換器を蒸発器として機能させる冷房運転と、これとは逆に室外熱交換器を蒸発器、室内熱交換器を凝縮器として機能させる暖房運転の両方の稼動を可能とする空気調和機が知られている。
【０００３】
このような空気調和機を暖房運転する場合、室外空気温度によっては蒸発器となる室外熱交換器から発生するドレン水（除霜水）が熱交換器低部において凍結してしまう場合がある。このような状態を防止するため、室内側膨張弁と室外側膨張弁とを配管接続する冷媒配管の一部をホットライン配管として室外熱交換器低部に配し、高温高圧の冷媒を流通させる手法を取り入れた冷凍サイクル装置が知られている（例えば、特許文献１参照。）。
【０００４】
この空気調和機によれば、ホットライン配管温度が常に所定の温度範囲内となるように、室内側膨張弁と室外側膨張弁の開度を制御することによって、ホットライン配管内を流れる冷媒を気液二相状態に維持してホットライン配管とともに室外熱交換器低部の着霜・着氷を抑制している。
【０００５】
しかしながら、上記従来の冷凍サイクル装置では、暖房運転時に室内側膨張弁から室外側膨張弁に向かうすべての冷媒がホットライン配管内に流れてしまい、室外空気温度によっては、着霜・着氷防止に必要な熱量以上の熱をホットライン配管を介して室外空気に放熱してしまう可能性がある。
そのため、室内側の暖房能力として利用できる熱まで室外空気に過剰放熱してしまうことになり、暖房能力の低下を引き起こしてしまう問題がある。
【０００６】
また、冷房運転において室外空気温度が低い場合、室外熱交換器の全領域が凝縮器であれば、冷媒の凝縮圧力が通常時よりも異常に低下し、蒸発圧力側もさらに低い状態となって冷凍サイクルが平衡する。このとき、室内側熱交換器表面のドレン水が凍結を起こすことから、これを回避するため圧縮機の頻繁な発停制御を行うこととなる。従って、空調の快適性が低下するのみならず、圧縮機の信頼性が著しく低下してしまう。
そこで、低外気で冷房運転する際、容量の異なる複数の室外熱交換器を配して各々への冷媒の流し方を調整することによって、圧縮機の連続運転を実現させるものが提案されている（例えば、特許文献２参照。）。
【０００７】
しかし、特許文献２に記載の冷凍サイクル装置は、暖房運転の際に使用していない室外熱交換器内に冷媒が滞留してしまう恐れがある。この場合、冷凍サイクルを形成するための必要冷媒循環量が不足した状態で運転を継続することとなり、冷凍サイクル装置の信頼性が低下してしまう。
【特許文献１】特開平０９−１３８００８号公報
【特許文献２】特開２００２−０６１９７８号公報
【発明の開示】
【発明が解決しようとする課題】
【０００８】
本発明は上記事情に鑑みて成されたものであり、ホットライン機能を損なうことなく室外熱交換器低部の着霜・着氷を防止するとともに、冷凍サイクル内の冷媒の圧力状態を所定の範囲内に安定させて室内機側の暖房能力及び冷房能力を維持することができる冷凍サイクル装置及びその運転方法を提供することを目的とする。
【課題を解決するための手段】
【０００９】
本発明は、上記課題を解決するため、以下の手段を採用する。
本発明に係る冷凍サイクル装置は、少なくとも室内熱交換器、室内側膨張部、室外側膨張部、室外熱交換器、及び、圧縮機を順次配管接続して冷媒を循環させてなる冷凍サイクルを有する冷凍サイクル装置であって、前記室内側膨張部と前記室外側膨張部との間を配管接続する冷媒配管が、前記室外熱交換器の少なくとも一部を経由する第一配管と経由しない第二配管とに分岐された構造であることを特徴とする。
【００１０】
この冷凍サイクル装置は、冷媒の全循環量を第一配管と第二配管とにそれぞれ所定の割合で流通させることができる。したがって、室外熱交換器を蒸発器として使用するような暖房運転時に、高温高圧の冷媒を室外熱交換器低部にも流通させることができ、室内側膨張部から室外側膨張部に向かう冷媒の高温高圧状態を維持しながら室外熱交換器低部の着霜や着氷を防止することができる。
【００１１】
また、本発明に係る冷凍サイクル装置は、前記冷凍サイクル装置であって、前記第一配管の温度を検出する第一温度検出部と、室外空気温度を検出する第二温度検出部とを備え、前記第一配管に、前記室外空気温度と前記第一配管の温度とに基づき流量制御可能な流量調整手段が配されていることを特徴とする。
【００１２】
この冷凍サイクル装置は、第一配管温度と室外空気温度とに基づき流量調整手段を開閉することによって、第一配管に冷媒を流す必要のあるときには第一配管に冷媒を流すことができ、或いは、第一配管に冷媒を流す必要のないときには第一配管に冷媒を流さないようにすることができる。したがって、必要に応じて第一配管内の冷媒流量を調整して、室外熱交換器低部の温度を変化させることができる。
【００１３】
また、本発明に係る冷凍サイクル装置は、前記冷凍サイクル装置であって、前記室外側膨張部から前記室外熱交換器へ冷媒を流通させる際に、前記室外空気温度と前記第一配管の温度とに基づき少なくとも一部の前記冷媒を前記第一配管へ分流させる流通機構を備えていることを特徴とする。
【００１４】
この冷凍サイクル装置は、第一配管温度と室外空気温度とに基づき開閉弁と流通機構とを調整して、室外熱交換器の全領域を蒸発器として使用するような暖房運転時に、第一配管内の冷媒の一部を室外熱交換器内と同一の方向に流すことができ、室外熱交換器低部の着霜・着氷を抑えるだけでなく、必要に応じて第一配管に蒸発器作用を持たせて室外熱交換器の容量を増やすことができる。
【００１５】
また、本発明に係る冷凍サイクル装置は、前記冷凍サイクル装置であって、前記室外熱交換器に前記第一配管よりも多くの冷媒量を流通させる熱交換部が配され、前記第一配管及び前記熱交換部の少なくとも一方に、前記圧縮機の吐出側から前記室外熱交換器側に向かって一方向に前記冷媒を流通させる配管選択機構を備えていることを特徴とする。
【００１６】
本発明に係る冷凍サイクル装置の運転方法は、少なくとも室内側膨張部、室外側膨張部、室外熱交換器、及び、圧縮機を順次配管接続して冷媒を循環させる冷凍サイクルを有する冷凍サイクル装置の運転方法であって、室外空気温度を検出する工程と、前記室外熱交換器の少なくとも一部を経由して配された第一配管と経由しない第二配管とに途中で分岐されて前記室内側膨張部と前記室外側膨張部とを配管接続する冷媒配管の前記第一配管の温度を検出する工程と、室外空気温度と前記第一配管の温度とに基づき前記第一配管内の冷媒流量を調整する工程とを備えていることを特徴とする。
【００１７】
この冷凍サイクル装置の運転方法は、例えば暖房運転時に、第一配管温度と室外空気温度とに基づいて高温高圧の冷媒の少なくとも一部を第一配管に流すことによって、室外側膨張部に向かう冷媒の高温高圧状態を維持しながら室外熱交換器低部の温度を上げて着霜・着氷を抑えることができる。また、室外熱交換器低部に冷媒を流す必要のないときには、第一配管に冷媒を流すことを停止することができ、必要に応じて第一配管内の冷媒流量を調整することができる。
【００１８】
また、本発明に係る冷凍サイクル装置の運転方法は、前記冷凍サイクル装置の運転方法であって、前記第一配管内の冷媒の流通方向を前記室外熱交換器内の流通方向と同一方向とする工程を備えていることを特徴とする。
この冷凍サイクル装置の運転方法は、室外熱交換器を蒸発器として使用する暖房運転時に、第一配管温度と室外空気温度とに基づいて第一配管内の冷媒の流れる方向を室外熱交換器内と同一の方向とすることによって、第一配管にも蒸発器作用を持たせて室外熱交換器の容量を増やすことができる。
【００１９】
また、本発明に係る冷凍サイクル装置の運転方法は、少なくとも室内熱交換器、室内側膨張部、室外側膨張部、室外熱交換器、及び、圧縮機を順次配管接続して冷媒を循環させてなる冷凍サイクルを有する冷凍サイクル装置の運転方法であって、室外空気温度を検出する工程と、  室外空気温度の検出結果に基づき、前記室外熱交換器の少なくとも一部を経由して配された第一配管及び該第一配管よりも多くの冷媒を流通可能に前記室外熱交換器に配された熱交換部の少なくとも一方に、前記圧縮機の吐出側から前記室外熱交換器側に向かって一方向に前記冷媒を流通させる工程とを備えていることを特徴とする。
【００２０】
この冷凍サイクル装置の運転方法は、圧縮機側から室外熱交換器側に冷媒を流通させる運転をする際、配管選択機構によって冷媒を第一配管及び熱交換部の一方向に流通させることができる。この際、冷媒を第一配管及び熱交換部の少なくとも一方に流通させることができ、室外熱交換器を経由する冷媒量を室外空気温度によって所定の量に調整することができる。従って、例えば、圧縮機を吐出した冷媒を第一配管のみに流通させた場合には、室外熱交換器で熱交換される冷媒の流量を最小にすることができ、室外空気温度が低い場合でも冷媒を高温高圧状態に維持することができる。
【００２１】
また、本発明に係る冷凍サイクル装置の運転方法は、前記冷凍サイクルの運転方法であって、前記圧縮機の吐出圧力を検出する工程をさらに備え、
前記一方向に前記冷媒を流通させる工程が、前記圧縮機の吐出圧力の検出結果と合わせて前記冷媒を流通させることを特徴とする。
【発明の効果】
【００２２】
本発明によれば、暖房運転時に室外熱交換器の機能低下を防止しつつ過剰放熱を抑えることができ、暖房効率を向上することができる。また、低外気での冷房運転時においても所定の高低圧を維持し、圧縮機の信頼性確保と冷房効率の向上を図ることができる。さらに、運転時に冷凍サイクルとして使用しない箇所に冷媒が滞留することはなく、冷凍サイクルの信頼性を確保することができる。
【発明を実施するための最良の形態】
【００２３】
本発明に係る第１の実施形態について、図１を参照して説明する。
本実施形態に係る空気調和機（冷凍サイクル装置）１は、室内機２と室外機３とを備えている。
室内機２内には、室内熱交換器５、室内側膨張弁（室内側膨張部）６が配されており、室外機３には、室外側膨張弁（室外側膨張部）７、室外熱交換器８、アキュムレータ１０、四方弁１１、圧縮機１２が配されている。これらは互いに配管接続されており、冷媒が循環される冷凍サイクルを構成している。
【００２４】
室内側膨張弁６と室外側膨張弁７との間を配管接続する冷媒配管１３は、ホットライン配管１３Ａとバイパス配管１３Ｂとは、室内側膨張弁６側の第一分岐１３ａ及び室外側膨張弁７側の第二分岐１３ｂとの間で、室外熱交換器８の低部を経由するホットライン配管（第一配管）１３Ａと、室外熱交換器８の低部を経由しないバイパス配管（第二配管）１３Ｂとに分岐して形成されている。この冷媒配管１３は、予め所定の冷媒循環量を所定の割合で双方に分岐できるように設計されている。
室外熱交換器８は、熱交換器の利用目的からその内部に２系統の冷媒流路を有しており、ホットライン配管１３Ａと、これよりも冷媒を多く流通させる熱交換部８Ａとを備えている。
【００２５】
次に、本実施形態に係る空気調和機１の運転方法について、暖房運転する場合、及び、その際の作用・効果について説明する。
圧縮機１２を吐出した高温高圧の冷媒は、四方弁１１を経由して室外機３から室内機２へ移動して室内熱交換器５に流れ、室内側膨張弁６で減圧膨張されて再び室外機３に入り冷媒配管１３内を流れる。このとき、冷媒が第一分岐１３ａにてホットライン配管１３Ａとバイパス配管１３Ｂとの両方に所定の割合で流れて、ホットライン配管１３Ａを流れる冷媒が室外熱交換器８の低部を通過する。
【００２６】
このとき、ホットライン配管１３Ａ内を流れる冷媒から室外熱交換器８の低部に放熱が起こる。
ホットライン配管１３Ａを流れた冷媒は、第二分岐１３ｂにてバイパス配管１３Ｂを流れる冷媒と合流され、バイパス配管１３Ｂ内にもホットライン配管１３Ａをバイパスする冷媒が流れ、室外側膨張弁７を経由して室外熱交換器８の熱交換部８Ａにて蒸発器として室外空気と熱交換される。
【００２７】
この空気調和機１によれば、室内側膨張弁６から室外側膨張弁７に向かう冷媒の温度圧力状態を維持した冷媒をバイパス配管１３Ｂに流通させながら、ホットライン配管１３Ａを流通する冷媒によって室外熱交換器８低部の着霜や着氷を防止することができる。
したがって、暖房運転時に、ホットライン機能を損なうことなく室外空気への過剰な放熱を抑えることができ、暖房効率を向上することができる。
【００２８】
次に、第２の実施形態について図２及び図３を参照しながら説明する。
なお、上述した第１の実施形態と同様の構成要素には同一符号を付すとともに説明を省略する。
第２の実施形態と第１の実施形態との異なる点は、本実施形態に係る空気調和機２０が、暖房運転時に室外熱交換器８低部への冷媒の入口側となるホットライン配管１３Ａの温度を検出するホットライン配管温度検出装置（第一温度検出部）２１と、室外空気温度を検出する外気温度検出装置（第二温度検出部）２２と、ホットライン配管温度検出装置２１と外気温度検出装置２２とに基づき流量制御可能なホットライン回路電磁弁（流量調整手段）２３とを備えているとした点である。
ホットライン回路電磁弁２３は、暖房運転時に室外熱交換器８への冷媒の入口側となるホットライン配管１３Ａに配されており、流量制御装置２５によって開閉制御されている。
【００２９】
この空気調和機２０による暖房時の運転方法について説明する。
この運転方法は、室外空気温度を外気温度検出装置２２にて検出する工程（Ｓ０１）と、ホットライン配管１３Ａの温度をホットライン配管温度検出装置２１にて検出する工程（Ｓ０２）と、室外空気温度とホットライン配管１３Ａの温度とに基づき、ホットライン回路電磁弁２３を開閉してホットライン配管１３Ａ内の冷媒流量を調整する工程（Ｓ０３）とを備えている。
【００３０】
暖房運転開始時には、ホットライン回路電磁弁２３は閉とされているので、冷媒は室内側膨張弁６から室外側膨張弁７に向かってバイパス配管１３Ｂ内を流れる。
運転開始後、ホットライン回路電磁弁２３を開とする。そして、室外空気温度を外気温度検出装置２２にて検出する工程（Ｓ０１）として、外気温度検出装置２２にて室外空気温度（ＴＡ）を検出する。また、ホットライン配管１３Ａの温度をホットライン配管温度検出装置２１にて検出する工程（Ｓ０２）として、ホットライン配管温度検出装置２１にて、ホットライン配管１３Ａの温度（Ｔｒ）を検出する。
【００３１】
ここで、ＴＡと氷点より高く設定された所定温度αとを比較し、ＴＡ＜α度の場合、室外熱交換器８低部に着霜・着氷の恐れがあることから、ホットライン配管１３Ａ内の冷媒流量を調整する工程（Ｓ０３）を行って、流量制御装置２５によってホットライン回路電磁弁２３を開く。
この際、冷媒配管１３内を流れる冷媒の一部がホットライン配管１３Ａ内にも流入し、室外熱交換器８を通過する。このとき、室外熱交換器８低部は冷媒によって加熱される。そして、再びバイパス配管１３Ｂ内の冷媒と合流して室外側膨張弁７に流れる。
【００３２】
上記プロセスを繰り返し、ＴＡ≧α度となった場合、ＴＡとＴｒとを比較する。そして、Ｔｒ＞ＴＡの場合、流量制御装置２５によってホットライン回路電磁弁２３を閉じる。
この際、ホットライン配管１３Ａ内の冷媒の流れが停止し、冷媒はバイパス配管１３Ｂ内を流れ、室外熱交換器８低部からの過剰な放熱を抑える。
【００３３】
一方、Ｔｒ≦ＴＡの場合には、ホットライン回路電磁弁２３を開く。このとき、ホットライン配管１３Ａ内を冷媒が流れるが、室外空気温度がホットライン配管１３Ａの温度よりも高いため、室外空気への放熱は起きない。
こうして、これらの工程を繰り返しながら暖房運転を行う。
【００３４】
この空気調和機２０及びその運転方法によれば、上記第１の実施形態と同様の効果を得ることができるが、ホットライン配管１３Ａの温度と室外空気温度との関係に基づき、ホットライン回路電磁弁２３を開閉することによって、必要に応じてホットライン配管１３Ａに冷媒を流すことができる。したがって、暖房運転時の温度状況によって、ホットライン配管１３Ａ内の冷媒通過量を調整してホットライン機能を効率よく利用しつつ、必要以上に室外熱交換器８低部に放熱されるのを抑えることができ、室内機側の暖房性能を維持することができる。
【００３５】
次に、第３の実施形態について図２及び図４を参照しながら説明する。
なお、上述した他の実施形態と同様の構成要素には同一符号を付すとともに説明を省略する。
第３の実施形態と第２の実施形態との異なる点は、本実施形態に係る空気調和機が、ホットライン回路電磁弁２３の代わりに流量調整弁を備えているとした点である。
流量調整弁は、流量制御装置２５によって開度が可変とされている。
【００３６】
この空気調和機による暖房時の運転方法について説明する。
この運転方法は、室外空気温度を外気温度検出装置２２にて検出する工程（Ｓ１１）と、ホットライン配管１３Ａの温度をホットライン配管温度検出装置２１にて検出する工程（Ｓ１２）と、室外空気温度とホットライン配管１３Ａの温度とに基づき、流量調整弁の開度を調整してホットライン配管１３Ａ内の冷媒流量を調整する工程（Ｓ１３）とを備えている。
【００３７】
暖房運転開始時には、流量電磁弁は全閉とされているので、冷媒は室内側膨張弁６から室外側膨張弁７に向かってバイパス配管１３Ｂ内を流れる。
運転開始後、流量調整弁の開度を全開とする。そして、室外空気温度を外気温度検出装置２２にて検出する工程（Ｓ１１）及びホットライン配管１３Ａの温度とをホットライン配管温度検出装置２１にて検出する工程（Ｓ１２）として、第１の実施形態と同様に室外空気温度（ＴＡ）とホットライン配管１３Ａの温度（Ｔｒ）とを検出する。
【００３８】
ここで、ＴＡと氷点より高く設定された所定温度αとを比較し、ＴＡ＜α度の場合、室外熱交換器８に着霜・着氷の恐れがあることから、流量調整弁の開度を調整してホットライン配管１３Ａ内の冷媒流量を調整する工程（Ｓ１３）を行って、流量制御装置２５によって流量調整弁の開度を全開とする。
この際、冷媒配管１３内を流れる冷媒の一部がホットライン配管１３Ａ内にも流入し、室外熱交換器８低部を通過する。このとき、室外熱交換器８低部は冷媒によって加熱される。そして、再びバイパス配管１３Ｂ内の冷媒と合流して室外側膨張弁７に流れる。
【００３９】
上記プロセスを繰り返し、ＴＡ≧α度となった場合、ＴＡとＴｒとを比較する。そして、Ｔｒ＞ＴＡの場合、流量制御装置２５によって流量調整弁の開度を一定量減少させる。
この際、ホットライン配管１３Ａ内の冷媒の流れが減少し、冷媒が室外熱交換器８低部から過剰に放熱されるのを抑える。
【００４０】
一方、Ｔｒ＝ＴＡの場合には、流量調整弁の開度を現状に保持し、Ｔｒ＜ＴＡの場合には、流量調整弁の開度を一定量増加させる。このとき、ホットライン配管１３Ａ内を冷媒が流れるが、室外空気温度とホットライン配管１３Ａの温度とが等しい、或いは、室外空気温度の方が高いため、室外空気への放熱は起きない。こうして、これらの工程を繰り返しながら暖房運転を行う。
【００４１】
この空気調和機及びその運転方法によれば、第２の実施形態と同様の効果を得ることができる。特に、弁の開度が調整可能とされている点において、ホットライン配管１３Ａを通過する冷媒流量をより細かく制御するため、ホットライン機能を更に効率良く利用することができる。
【００４２】
次に、第４の実施形態について図５及び図６を参照しながら説明する。
なお、上述した他の実施形態と同様の構成要素には同一符号を付すとともに説明を省略する。
第４の実施形態と第２の実施形態との異なる点は、本実施形態に係る空気調和機４０が、第２実施形態に係る空気調和機２０の構成に加えて、ホットライン配管１３Ａの温度と室外空気温度とに基づき、室外側膨張弁７から室外熱交換器８へ冷媒を流通させる際にその少なくとも一部の冷媒をホットライン配管１３Ａへ分流させる流通機構４１を備えているとした点である。
【００４３】
流通機構４１は、室外熱交換器８における冷媒出入口において熱交換部８Ａとホットライン配管１３Ａとを配管接続する第一バイパス配管４２及び第二バイパス配管４３と、第一バイパス配管４２とホットライン配管１３Ａとの接続部４４Ａ及びホットライン配管１３Ａとバイパス配管１３Ｂとの接続部４４Ｂ（第二分岐１３ｂ）の間に配された第一逆止弁４５と、第一バイパス配管４２上に配された第二逆止弁４６と、第二バイパス配管４３上に配された蒸発器用電磁弁４７とを備えている。
【００４４】
第一バイパス配管４２は、室外側膨張弁７側にてホットライン配管１３Ａと熱交換部８Ａとを接続して配されており、熱交換部８Ａとは接続部４４Ｃにて接続されている。第二バイパス配管４３は、圧縮機１２側にてホットライン配管１３Ａと熱交換部８Ａとを接続して配されており、ホットライン配管１３Ａとは接続部４４Ｄにて、熱交換部８Ａとは接続部４４Ｅにて接続されている。
第一逆止弁４５は、接続部４４Ａから接続部４４Ｂへの流れのみを許容するものとされ、第二逆止弁４６は、室外側膨張弁７からの冷媒を室外熱交換器８に入る手前でホットライン配管１３Ａ側へ向かう流れのみを許容するものとされている。
蒸発器用電磁弁４７も、流量制御装置２５によって開閉制御される。
【００４５】
この空気調和機４０による暖房時の運転方法について説明する。
この運転方法は、室外空気温度を外気温度検出装置２２にて検出する工程（Ｓ２１）と、ホットライン配管１３Ａの温度をホットライン配管温度検出装置２１にて検出する工程（Ｓ２２）と、ホットライン配管１３Ａ内の冷媒の流通方向を室外熱交換器８内と同一方向とする工程（Ｓ２３）と、室外空気温度とホットライン配管１３Ａの温度とに基づき、ホットライン回路電磁弁２３を開閉してホットライン配管１３Ａ内の冷媒流量を調整する工程（Ｓ２４）とを備えている。
【００４６】
まず、暖房運転を開始して、ホットライン回路電磁弁２３を開とし、蒸発器用電磁弁４７を閉とする。そして、第２実施形態と同様に、室外空気温度を外気温度検出装置２２にて検出する工程（Ｓ２１）と、ホットライン配管１３Ａの温度をホットライン配管温度検出装置２１にて検出する工程（Ｓ２２）とを実施して、外気温度検出装置２２にて室外空気温度（ＴＡ）を検出し、ホットライン配管温度検出装置２１にて、ホットライン配管１３Ａの温度（Ｔｒ）を検出する。
【００４７】
ここで、β＜ＴＡ＜α度の場合（αは氷点より高く設定された所定温度、βは氷点より低く設定された所定温度）のとき、室外熱交換器８低部に着霜・着氷の恐れがあることから、ホットライン配管１３Ａ内の冷媒流量を調整する工程（Ｓ２３）を行って、流量制御装置２５によってホットライン回路電磁弁２３のみを開く。
この際、冷媒配管１３内を流れる冷媒の一部がホットライン配管１３Ａ内に流入し、第一逆止弁４５及び第二逆止弁４６によって室内側膨張弁６側から室外側膨張弁７の方向にのみ室外熱交換器８低部を通過する。そして、室外熱交換器８の低部が冷媒によって加熱され、再びバイパス配管１３Ｂ内の冷媒と合流して室外側膨張弁７に流れる。
【００４８】
上記プロセスを繰り返し、ＴＡ≦β度となった場合、ホットライン配管１３Ａ内の冷媒流量を調整する工程（Ｓ２４）を行って、ホットライン回路電磁弁２３を閉じる一方、蒸発器用電磁弁４７を開く。
このとき、室外側膨張弁７を通過した冷媒の一部が、第一バイパス配管４２からホットライン配管１３Ａを通過して第二バイパス配管４３へと流れる。この結果、ホットライン配管１３Ａは蒸発器としての機能を発揮することとなる。
【００４９】
上記プロセスをさらに繰り返し、Ｔｒ＞ＴＡとなった場合も工程（Ｓ２４）に従い、ホットライン回路電磁弁２３と蒸発器用電磁弁４７との両方を閉じる。そして、Ｔｒ≦ＴＡとなったときには、ホットライン回路電磁弁２３を開き、蒸発器用電磁弁４７を閉じる。この結果、ホットライン配管１３Ａ内を流れる冷媒は、室内側膨張弁６側から室外側膨張弁７側へと流れることとなって、室外空気への放熱が抑えられる。
【００５０】
この空気調和機４０及びその運転方法によれば、暖房運転時に、ホットライン配管１３Ａ内に冷媒を流すことによって室外熱交換器８低部の着霜・着氷を抑えるとともに、ホットライン回路電磁弁２３の開閉制御によって室外空気への必要以上の放熱を抑えて室内機側の暖房性能を維持することができる。また、室外熱交換器８への着霜・着氷が発生しにくい状況のときには、蒸発器用電磁弁４７とともに開閉制御することによって、第一逆止弁４５及び第二逆止弁４６によってホットライン配管１３Ａ内の冷媒の流れる方向を室外熱交換器８と同じ方向とすることができ、ホットライン配管１３Ａに室外熱交換器８と同じ蒸発器としての機能を持たせることができ、室外熱交換器の容量を増やすことができる。
【００５１】
次に、第５の実施形態について図５及び図７を参照しながら説明する。
なお、上述した他の実施形態と同様の構成要素には同一符号を付すとともに説明を省略する。
第５の実施形態と第４の実施形態との異なる点は、本実施形態に係る空気調和機において、ホットライン回路電磁弁２３の代わりに第３の実施形態と同様の流量調整弁を備えているとした点である。
この空気調和機による暖房時の運転方法について説明する。
【００５２】
この運転方法は、図７に示すように、室外空気温度を外気温度検出装置２２にて検出する工程（Ｓ３１）と、ホットライン配管１３Ａの温度をホットライン配管温度検出装置２１にて検出する工程（Ｓ３２）と、ホットライン配管１３Ａ内の冷媒の流通方向を室外熱交換器８内と同一方向とする工程（Ｓ３３）と、室外空気温度とホットライン配管１３Ａの温度とに基づき、流量調整弁の開度を調整してホットライン配管１３Ａ内の冷媒流量を調整する工程（Ｓ３４）とを備えている。
【００５３】
まず、暖房運転を開始して、流量調整弁の開度を全開とし、蒸発器用電磁弁４７を閉とする。そして、第４の実施形態と同様に、室外空気温度を外気温度検出装置２２にて検出する工程（Ｓ３１）と、ホットライン配管１３Ａの温度をホットライン配管温度検出装置２１にて検出する工程（Ｓ３２）とを実施して、室外空気温度（ＴＡ）とホットライン配管１３Ａの温度（Ｔｒ）とを検出する。
【００５４】
ここで、β＜ＴＡ＜α度の場合のとき、室外熱交換器８に着霜・着氷の恐れがあることから、ホットライン配管１３Ａ内の冷媒流量を調整する工程（Ｓ３３）を行って、流量制御装置２５によって流量調整弁を全開する。
この際、冷媒配管１３内を流れる冷媒の一部が、第４の実施形態と同様に、ホットライン配管１３Ａ内に流入し、室内側膨張弁６側から室外側膨張弁７の方向にのみ室外熱交換器８を通過する。そして、室外熱交換器８を冷媒によって加熱し、再びバイパス配管１３Ｂ内の冷媒と合流して室外側膨張弁７に流れる。
【００５５】
上記プロセスを繰り返し、ＴＡ≦β度となった場合、ホットライン配管１３Ａ内の冷媒流量を調整する工程（Ｓ４４）を行って、流量調整弁を全閉する一方、蒸発器用電磁弁４７を開く。
このとき、室外側膨張弁７を通過した冷媒の一部が、第一バイパス配管４２からホットライン配管１３Ａを通過して第二バイパス配管４３へと流れ、ホットライン配管１３Ａは蒸発器としての機能を発揮することとなる。
【００５６】
上記プロセスをさらに繰り返し、ＴＡ≧β、かつ、Ｔｒ＞ＴＡとなった場合、工程（Ｓ３４）に従い、流量調整弁の開度を減少し、蒸発器用電磁弁４７を閉じる。そして、Ｔｒ＝ＴＡとなったときには、流量調整弁の開度を保持し、蒸発器用電磁弁４７を閉じる。
そして、Ｔｒ＜ＴＡとなったときには、流量調整弁の開度を増加させ、ホットライン配管１３Ａ内を流れる冷媒は、室内側膨張弁６側から室外側膨張弁７側へと流れることとなって、室外空気への放熱が抑えられる。
この空気調和機によれば、第４の実施形態と同様の効果を得ることができる。また、弁の開度が調整可能とされている点において、冷媒量の流量をより細かく制御するため、ホットライン機能を更に効率良く利用することができる。
【００５７】
次に、第６の実施形態について図８及び図９を参照しながら説明する。
なお、上述した他の実施形態と同様の構成要素には同一符号を付すとともに説明を省略する。
第６の実施形態と第４の実施形態との異なる点は、第４の実施形態に係る空気調和機４０における流通機構４１の代わりに、図８に示すように、本実施形態に係る空気調和機６０が、ホットライン配管１３Ａ及び熱交換部８Ａの少なくとも一方に、圧縮機１２の吐出側から室外熱交換器８側に向かって一方向に冷媒を流通させる配管選択機構６１を備えているとした点である。
【００５８】
配管選択機構６１は、四方弁１１と熱交換部８Ａとをつなぐ配管６２に配された第一開閉弁６３（電磁弁）と、第二バイパス配管４３の代わりに、四方弁１１と第一開閉弁６３との間に配された接続部４４Ｆと接続部４４Ｄとをつなぐ第三バイパス配管６５と、第三バイパス配管６５上に配された第三逆止弁６６と、ホットライン回路電磁弁２３の代わりに配された第四逆止弁６７とを備えている。
【００５９】
第三逆止弁６６は、第三バイパス配管６５内の冷媒の流れを接続部４４Ｆから接続部４４Ｄの一方向にのみ流通させる方向に配されており、第四逆止弁６７は、冷媒の流れを第一分岐１３ａから接続部４４Ｄの一方向にのみ流通させる方向に配されている。
第一開閉弁６３の開閉は、室外側膨張弁７の開度とともに流量制御装置６９によって制御されている。
なお、空気調和機６０には、第一バイパス配管４２及びホットライン配管温度検出装置２１は配されていない。
【００６０】
次に、空気調和機６０による運転方法について説明する。
暖房運転する場合、室外側膨張弁７を所定の開度に制御するとともに、第一開閉弁６３を常に開とする。
このとき、冷媒は第１の実施形態における空気調和機１と同様に流通される。
即ち、第一分岐１３ａに至った冷媒は、ホットライン配管１３Ａとバイパス配管１３Ｂとに分岐される。
【００６１】
ホットライン配管１３Ａに分岐されて第四逆止弁６７を通過した冷媒は、第三逆止弁６６によって第三バイパス配管６５の方向ではなく室外熱交換器８の低部を流れ、第二分岐１３ｂにて再びバイパス配管１３Ｂを流れる冷媒と合流する。
合流した冷媒は、室外側膨張弁７を経由して室外熱交換器８の熱交換部８Ａを流れ、第一開閉弁６３を通過して四方弁１１に至る。
これによって、冷媒は第１の実施形態における空気調和機１と同様の効果を奏することができる。  
【００６２】
一方、冷房運転する際の運転方法は、図９に示すように、室外空気温度を外気温度検出装置２２にて検出する工程（Ｓ４１）と、室外空気温度の検出結果に基づき、ホットライン配管１３Ａのみ、或いは室外熱交換器８全体に、圧縮機１２の吐出側から室外熱交換器８側に向かって一方向に冷媒を流通させる工程（Ｓ４２）とを備えている。
ここで、室外空気温度を検出する工程（Ｓ４１）は、上記他の実施形態における内容と同様の内容とされている。
冷媒を流通させる工程（Ｓ４２）は、さらに、ホットライン配管１３Ａのみに冷媒を流す工程（Ｓ４２Ａ）と、室外熱交換器８の全体に冷媒を流す工程（Ｓ４２Ｂ）とを備えている。
【００６３】
まず、冷房運転を開始する。このとき、室外側膨張弁７を所定の開度に制御するとともに、第一開閉弁６３を開として冷凍サイクルを駆動する。
続いて、室外空気温度を検出する工程（Ｓ４１）を実施して室外空気温度（ＴＡ）を検出する。
【００６４】
ここで、ＴＡ＜α（条件１）の場合、ホットライン配管１３Ａのみに冷媒を流す工程（Ｓ４２Ａ）に移行する。
即ち、室外側膨張弁７を全閉、第一開閉弁６３を閉とする。このとき、圧縮機１２から吐出された冷媒は、四方弁１１を通過して接続部４４Ｆから第三逆止弁６６を通過してホットライン配管１３Ａに流通され、バイパス配管１３Ｂに至り室内側膨張弁６に流通される。一方、室外側膨張弁７及び第一開閉弁６３が閉とされているので、熱交換部８Ａには冷媒が流れない。
【００６５】
こうして、ホットライン配管１３Ａのみが凝縮器として機能し、低外気状態においても所定範囲の運転圧力（高圧及び低圧）を維持することができる。
【００６６】
一方、再度、室外空気温度を検出する工程（Ｓ４１）を実施して室外空気温度（ＴＡ）を検出し、ＴＡ＜αの場合には、上記のホットライン配管１３Ａのみに冷媒を流す工程（Ｓ４２Ａ）をさらに繰り返し実施する。
そして、ＴＡ≧α（条件２）となった場合、又は初めからＴＡ≧αとなっている場合には室外熱交換器８全体に冷媒を流す工程（Ｓ４２Ｂ）に移行する。
【００６７】
即ち、室外側膨張弁７を所定開度に開、第一開閉弁６３を開とする。このとき、圧縮機１２から吐出された冷媒は、四方弁１１を通過して接続部４４Ｆから第一開閉弁６３を通過して熱交換部８Ａに流通される。同時に、冷媒が接続部４４Ｆから第三逆止弁６６を経由して第三バイパス配管６５の方向に流通され、ホットライン配管１３Ａにも冷媒が流れる。
従って、室外熱交換器８では、熱交換部８Ａ及びホットライン配管１３Ａの双方が凝縮器として機能して熱交換がなされる。
こうして、室外熱交換器８にて凝縮された冷媒は、室外側膨張弁７からバイパス配管１３Ｂに至って室内側膨張弁６に流通される。なお、上記各工程における室外側膨張弁７、及び第一開閉弁６３のステータスの一覧を表１に示す。
【００６８】
【表１】
2006038447.tif 000003
【００６９】
この空気調和機６０及びその運転方法によれば、室外熱交換器８を流通する冷媒の量を配管選択機構６１によって二つの所定の量に調整することができる。従って、圧縮機１２を吐出した冷媒をホットライン配管１３Ａのみに流通させた場合には、室外熱交換器８を通過する冷媒の流量を最小にすることができる。従って、室外熱交換器８の凝縮器としての機能をホットライン配管１３Ａのみに持たせて熱交換容量を抑制させることができ、所定の高温高圧状態に維持された冷媒を室内機２へ流通させることができる。
【００７０】
この結果、室内熱交換器５の表面でのドレン水凍結を防止することができ、圧縮機１２を連続運転させることができることから、所定の温度による冷房運転を可能とするとともに、圧縮機１２の耐久性を高めることができる。
【００７１】
次に、第７の実施形態について図１０及び図１１を参照しながら説明する。
なお、上述した他の実施形態と同様の構成要素には同一符号を付すとともに説明を省略する。
第７の実施形態と第６の実施形態との異なる点は、本実施形態に係る空気調和機７０の配管選択機構７１が、図１０に示すように、圧縮機１２の近傍に配されて圧縮機１２の吐出圧を検出する吐出圧力検出装置７２と、第４の実施形態に係る空気調和機４０に配された第一逆止弁４５の代わりに配された第二開閉弁７３（電磁弁）をさらに備えているとした点である。
この吐出圧力検出装置７２は、他の弁とともに流量制御装置７４によって制御される。
【００７２】
この空気調和機７０の運転方法について説明する。
暖房運転する場合、室外側膨張弁７を所定の開度に制御するとともに第一開閉弁６３及び第二開閉弁７３を常に開とする。
これによって、第６の実施形態に係る空気調和機６０と同様の作用・効果を奏することができる。
【００７３】
冷房運転する際の運転方法は、図１１に示すように、室外空気温度を外気温度検出装置２２にて検出する工程（Ｓ５１）と、圧縮機１２の吐出圧を吐出圧力検出装置７２にて検出する工程（Ｓ５２）と、ホットライン配管１３Ａ及び熱交換部８Ａの何れにも冷媒を流通させない工程（Ｓ５３）と、室外空気温度及び圧縮機１２の吐出圧力の検出結果に基づき、ホットライン配管１３Ａのみ或いは室外熱交換器８全体に、圧縮機１２の吐出側から室外熱交換器８側に向かって一方向に冷媒を流通させる工程（Ｓ５４）とを備えている。
冷媒を流通させる工程（Ｓ５４）は、第６の実施形態と同様に、ホットライン配管１３Ａのみに冷媒を流す工程（Ｓ５４Ａ）と、室外熱交換器８全体に冷媒を流す工程（Ｓ５４Ｂ）とを備えている。
【００７４】
まず、空気調和機７０を駆動する際、室外空気温度を検出する工程（Ｓ５１）及び吐出圧力を検出する工程（Ｓ５２）を実施して室外空気温度（ＴＡ）及び圧縮機１２の吐出圧力（Ｐｄ）を検出する。
ここで、ＴＡ＜α、かつ、Ｐｄ＜γ（γは所定の圧力値）（条件３）の場合には、ホットライン配管１３Ａ及び熱交換部８Ａの何れにも冷媒を流通させない工程（Ｓ５３）に移行する。
即ち、室外側膨張弁７を全閉、第一開閉弁６３及び第二開閉弁７３を閉とする。このとき、圧縮機１２から冷媒が吐出されようとしても冷凍サイクル内を流通しないので、吐出圧力が早期に高まる。
【００７５】
この状態で再度、吐出圧力を検出する工程（Ｓ５２）を実施して吐出圧力（Ｐｄ）を検出する。
このとき、吐出圧力がγ≦Ｐｄ＜δ（δはγよりも大きい所定の圧力値）（条件４）の場合には、ホットライン配管１３Ａのみに冷媒を流す工程（Ｓ５４Ａ）に移行して、第６の実施形態におけるホットライン配管１３Ａのみに冷媒を流す工程（Ｓ４２Ａ）と同様の処理を行って冷房運転を継続する。
【００７６】
この場合、第６の実施形態と同様に、圧縮機１２から吐出された冷媒はホットライン配管１３Ａに流通され、熱交換部８Ａには冷媒が流れない。
従って、ホットライン配管１３Ａのみが凝縮器として機能する。
この場合、熱交換部８Ａ内を流通させる場合よりも少量の冷媒が室外熱交換器８に流通されるために圧縮機１２を吐出した冷媒が高圧状態に維持される。
【００７７】
次に、再度、室外空気温度を検出する工程（Ｓ５１）及び吐出圧力を検出する工程（Ｓ５２）を実施して、室外空気温度（ＴＡ）及び吐出圧（Ｐｄ）を検出する。そして、ＴＡ≧α、かつ、Ｐｄ≧δ（条件５）の場合には、室外熱交換器８全体に冷媒を流す工程（Ｓ５４Ｂ）に移行する。
即ち、室外側膨張弁７を所定開度に開、第一開閉弁６３を開、及び第二開閉弁７３を開とする。このとき、第６の実施形態に係る室外熱交換器８全体に冷媒を流す工程（Ｓ４２Ｂ）と同様に、圧縮機１２から吐出された冷媒は室外熱交換器８全体に流通されて熱交換される。なお、上記各工程における室外側膨張弁７、第一開閉弁６３、及び第二開閉弁７３のステータスの一覧を表２に示す。
【００７８】
【表２】
2006038447.tif 000004
【００７９】
この空気調和機７０及びその運転方法によれば、冷房運転の際、ホットライン配管１３Ａ及び熱交換部８Ａの何れにも冷媒を流通させない工程（Ｓ５３）を備えているので、圧縮機１２の吐出圧力を早期に高めることができ、運転開始直後の冷凍サイクル全体の立ち上がり時間を短縮することができる。
また、吐出圧力検出装置７２にて圧縮機１２の吐出圧力を直接検出し、室外空気温度の検出結果とあわせて冷媒の流れを制御しているので、室外空気温度のみを検出して運転制御する場合に比べ、より詳細な凝縮圧力制御を行うことができ、冷媒の高圧状態を高い圧力に維持することができる。
【００８０】
次に、第８の実施形態について図１２及び図１３を参照しながら説明する。
なお、上述した他の実施形態と同様の構成要素には同一符号を付すとともに説明を省略する。
第８の実施形態と第７の実施形態との異なる点は、第７の実施形態に係る空気調和機７０の配管選択機構７１に係る第二開閉弁７３の代わりに、本実施形態に係る空気調和機８０の配管選択機構８１が、冷媒流量を無段階に調整可能な流量調整弁８２を備えているとした点である。この流量調整弁８２は、他の弁とともに流量制御装置８３によって制御される。
【００８１】
この空気調和機８０の運転方法について説明する。
暖房運転する場合、室外側膨張弁７を所定の開度に制御するとともに第一開閉弁６３を開、及び流量調整弁８２を全開とする。
これによって、第７の実施形態に係る空気調和機７０と同様の作用・効果を奏することができる。
【００８２】
冷房運転する際の運転方法は、図１３に示すように、室外空気温度を外気温度検出装置２２にて検出する工程（Ｓ６１）と、圧縮機１２の吐出圧を吐出圧力検出装置７２にて検出する工程（Ｓ６２）と、室外空気温度及び圧縮機１２の吐出圧の検出結果に基づき、ホットライン配管１３Ａ或いは室外熱交換器８全体に、圧縮機１２の吐出側から室外熱交換器８側に向かって一方向に冷媒を流通させる工程（Ｓ６３）とを備えている。
冷媒を流通させる工程（Ｓ６３）は、さらに、ホットライン配管１３Ａのみに冷媒を流す工程（Ｓ６３Ａ）と、ホットライン配管１３Ａのみに流れる冷媒流量を漸次増加させる工程（Ｓ６３Ｂ）と、室外熱交換器８全体に冷媒を流す工程（Ｓ６３Ｃ）とを備えている。
【００８３】
まず、冷房運転を開始する際、室外側膨張弁７及び流量調整弁８２をそれぞれ所定の開度に制御し、第一開閉弁６３を開として冷媒を流通させる。そして、室外空気温度を検出する工程（Ｓ６１）及び吐出圧力を検出する工程（Ｓ６２）を実施して室外空気温度（ＴＡ）及び圧縮機１２の吐出圧（Ｐｄ）を検出する。
ここで、ＴＡ＜α、かつ、Ｐｄ＜γ（条件３）の場合には、ホットライン配管１３Ａのみに冷媒を流す工程（Ｓ６３Ａ）に移行する。
【００８４】
即ち、室外側膨張弁７を全閉、第一開閉弁６３を閉、流量調整弁８２を所定の開度となるまで一定量閉にする。このとき、圧縮機１２から吐出されてホットライン配管１３Ａを流通する冷媒の圧力が上昇する。一方、室外側膨張弁７は全閉、第一開閉弁６３は閉とされているので、熱交換部８Ａには冷媒が流れない。
従って、ホットライン配管１３Ａのみが凝縮器として機能するとともに、圧縮機１２を吐出した冷媒がより早期に高圧状態とされる。
【００８５】
再度、吐出圧力を検出する工程（Ｓ６２）を実施して圧縮機１２の吐出圧（Ｐｄ）を検出したときに、吐出圧がγ≦Ｐｄ＜ε（εはγとδとの間の所定の圧力）（条件６）の場合には、流量調整弁８２の開度を現状維持として冷房運転を継続する。
【００８６】
吐出圧力を検出する工程（Ｓ６２）を繰り返して圧縮機１２の吐出圧（Ｐｄ）を検出したときに、吐出圧がε≦Ｐｄ＜δ（条件７）となった場合には、ホットライン配管１３Ａのみに流れる冷媒流量を漸次増加させる工程（Ｓ６３Ｂ）に移行する。
即ち、室外側膨張弁７及び第一開閉弁６３の状態はそのままとし、流量調整弁８２を所定の開度となるように一定量開にする。
この場合、ホットライン配管１３Ａを流通する冷媒量が増加するため、圧縮機１２の吐出圧の昇圧率が緩和される。
【００８７】
そして、室外空気温度を検出する工程（Ｓ６１）及び吐出圧力を検出する工程（Ｓ６２）を実施して室外空気温度（ＴＡ）及び圧縮機１２の吐出圧（Ｐｄ）を検出する。この際、ＴＡ≧α、かつ、Ｐｄ≧δ（条件５）の場合には、室外熱交換器８全体に冷媒を流す工程（Ｓ６３Ｃ）に移行する。
即ち、室外側膨張弁７を所定開度に開とし、第一開閉弁６３を開とし、流量調整弁８２を全開とする。このとき、上記他の実施形態と同様に、圧縮機１２から吐出された冷媒は、室外熱交換器８全体に流通される。なお、上記各工程における室外側膨張弁７、第一開閉弁６３、及び流量調整弁８２のステータスの一覧を表３に示す。
【００８８】
【表３】
2006038447.tif 000005
【００８９】
この空気調和機８０及びその運転方法によれば、第７の実施形態に係る空気調和機７０における第二開閉弁７３の代わりに、流量を調整可能な流量調整弁８２が配されているので、単に開閉制御を行う場合に比べて、圧縮機１２の吐出圧力をより安定的に制御することができる。従って、冷凍サイクル内の冷媒圧力の平準化をより好適に行うことができ、より安定した空調を行うことができる。
【００９０】
なお、本発明の技術範囲は上記実施の形態に限定されるものではなく、本発明の趣旨を逸脱しない範囲において種々の変更を加えることが可能である。
例えば、上記第６から第８の実施形態において、冷房運転時の空気調和機の運転方法において、ホットライン配管１３Ａ或いは室外熱交換器８全体に、圧縮機１２の吐出側から室外熱交換器８側に向かって一方向に冷媒を流通させる工程を備えているとしているが、運転条件によっては、室外熱交換器８の熱交換部８Ａのみに冷媒を流通させる制御を行っても構わない。
【図面の簡単な説明】
【００９１】
【図１】本発明の第１の実施形態に係る空気調和機を示す構成図である。
【図２】本発明の第２及び第３の実施形態に係る空気調和機を示す構成図である。
【図３】本発明の第２の実施形態に係る空気調和機の暖房運転時の運転方法を説明するフロー図である。
【図４】本発明の第３の実施形態に係る空気調和機の暖房運転時の運転方法を説明するフロー図である。
【図５】本発明の第４及び第５の実施形態に係る空気調和機を示す構成図である。
【図６】本発明の第４の実施形態に係る空気調和機の暖房運転時の運転方法を説明するフロー図である。
【図７】本発明の第５の実施形態に係る空気調和機の暖房運転時の運転方法を説明するフロー図である。
【図８】本発明の第６の実施形態に係る空気調和機を示す構成図である。
【図９】本発明の第６の実施形態に係る空気調和機の冷房運転時の運転方法を説明するフロー図である。
【図１０】本発明の第７の実施形態に係る空気調和機を示す構成図である。
【図１１】本発明の第７の実施形態に係る空気調和機の冷房運転時の運転方法を説明するフロー図である。
【図１２】本発明の第８の実施形態に係る空気調和機を示す構成図である。
【図１３】本発明の第８の実施形態に係る空気調和機の冷房運転時の運転方法を説明するフロー図である。
【符号の説明】
【００９２】
１、２０、４０、６０、７０、８０  空気調和機（冷凍サイクル装置）
５  室内熱交換器
６  室内側膨張弁
７  室外側膨張弁
８  室外熱交換器
８Ａ  熱交換部
１２  圧縮機
１３  冷媒配管
１３Ａ  ホットライン配管（第一配管）
１３Ｂ  バイパス配管（第二配管）
２１  ホットライン配管温度検出装置（第一温度検出部）
２２  外気温度検出装置（第二温度検出部）
２３  ホットライン回路電磁弁（流量調整手段）
４１  流通機構
６１、７１、８１  配管選択機構
【図１】
2006038447.tif 000006
【図２】
2006038447.tif 000007
【図３】
2006038447.tif 000008
【図４】
2006038447.tif 000009
【図５】
2006038447.tif 000010
【図６】
2006038447.tif 000011
【図７】
2006038447.tif 000012
【図８】
2006038447.tif 000013
【図９】
2006038447.tif 000014
【図１０】
2006038447.tif 000015
【図１１】
2006038447.tif 000016
【図１２】
2006038447.tif 000017
【図１３】
2006038447.tif 000018